(57)【要約】【課題】  患者がひとりで直接灸を行う場合、身体の前面部や足など簡単に手の届く部位に灸をすえるときであっても、いちいちもぐさを指で掴んで患部に押し付け、火をつけた後もぐさの燃えかすを指で掴んで取り除かねばならず、面倒であり、台座の底部に接着剤を塗布した温灸器では火傷や接着剤によるかぶれなどが発生する。【解決手段】  この考案は、筒状の容器本体と、この容器本体をもぐさ室と空気室とに区分する仕切り板を具え、同仕切り板には貫通穴を形成した温灸器とする。また、前記容器本体には連結ひもを介して重りを取り付けた。  さらに、リング状の保持器の側面に周方向のスリットを形成し、このスリットには複数個温灸器が前記連結ひもを挿通され取り付けられている。さらにまた、前記筒状の容器本体の空気室の底面に鍔状の台座を取り付けるとともに、前記筒状の容器本体に取り付けられた連結ひもの取付け位置の対向位置のもぐさ室上端を突出させた温灸器とした。【選択図】図１
0003139841.tif 000002
【実用新案登録請求の範囲】
【請求項１】
筒状の容器本体と、この容器本体をもぐさ室と空気室とに区分する仕切り板を具え、同仕切り板には貫通穴を形成したことを特徴とする温灸器。
【請求項２】
前記容器本体には連結ひもを介して重りが取り付けられていることを特徴とする請求項１の温灸器。
【請求項３】
リング状の保持器の側面に周方向のスリットが形成され、このスリットには複数個温灸器が前記連結ひもを挿通され取り付けられていることを特徴とする請求項２の温灸器。
【請求項４】
前記筒状の容器本体の空気室の底面の皮膚接触部に鍔状の台座が形成されていることを特徴とする請求項１、請求項２または請求項３の温灸器。
【請求項５】
前記筒状の容器本体に取り付けられている連結ひもの取付け位置と対向する位置のもぐさ室の上端を突出させたことを特徴とする請求項２、請求項３または請求項４の温灸器。
【考案の詳細な説明】
【技術分野】
【０００１】  この考案は、もぐさを燃焼させて患部の灸治療に用いる温灸器に関するものである。
【背景技術】
【０００２】  もぐさを患部のツボにのせて、火をつけ、その熱気によって治療を行う灸治療が漢方療法として古来より行われている。しかしこのように皮膚に直接もぐさをのせて火を付けると、皮膚に火傷跡が残ったり熱さの為に苦痛を感じたりする問題がある。
【考案の開示】
【考案が解決しようとする課題】
【０００３】  患者がひとりで直接灸を行う場合、身体の前面部や足など簡単に手の届く部位に灸をすえるときであっても、いちいちもぐさを指で掴んで患部に押し付け、火をつけた後もぐさの燃えかすを指で掴んで取り除かねばならず、面倒であると言う問題点があった。【０００４】このため、台座の底部に接着剤を塗布した温灸器を患部のツボに貼り付けてお灸をすえる使い捨て温灸器も出現している。
しかしながら、このような温灸器では火傷や接着剤によるかぶれなどが発生すると言う不具合があった。
【課題を解決するための手段】
【０００５】  この考案は、このような従来の課題を解決するために筒状の容器本体と、この容器本体をもぐさ室と空気室とに区分する仕切り板を具え、同仕切り板には貫通穴を形成した温灸器とするとともに、前記容器本体には連結ひもを介して重りを取り付け、また、リング状の保持器の側面に周方向のスリットを形成し、このスリットには複数個温灸器が前記連結ひもを挿通して取り付けられており、さらに、前記筒状の容器本体の空気室の底面に鍔状の台座が形成され、さらにまた  前記筒状の容器本体に取り付け取り付けられている連結ひもの取付け位置と対向する位置のもぐさ室の上端を突出させた温灸器としていることを特徴とする。
【考案の効果】
【０００６】  このために、ひとりで温灸治療が出来、水平で無い皮膚のつぼにも正確に温灸器を配置できる。もぐさが温灸器よりこぼれ落ちる心配が無く火傷の心配がない。また複数個所の身体のつぼに同時に温灸器をあてがって灸治療を行うことができる。
【考案を実施するための最良の形態】
【０００７】上述のように、本考案の温灸器は、もぐさ室の形状を傾斜配置しても、もぐさがこぼれ落ちないように切り口を斜めにしたり、簡単な専用の冶具や重りを付けるだけで、不安定な足の甲、脛、膝のまわり、肘、首肩およびお腹などあらゆるツボの皮膚に略垂直に当てて灸治療を行うことが出来るようにしている。
【実施例】
【０００８】  本考案の一実施例を添付図面を用いて説明する。
１は温灸器で、筒状本体１１の中間部に筒状本体１１をもぐさ室１３と空気室１４とを区分する仕切り板１２があり同仕切り板１２には貫通穴１５が形成されている。この筒状本体１１は素焼きの焼き物などで形成されている。また、２１は、温灸器１の筒状本体１１に取り付けられたひも２２を介して連結された重りである。さらに、筒状本体１１の上面は斜めに切断したような形状を呈しており前記ひも２２は上面までの高さがＨだけ短い側に取り付けられている。【０００９】図２において、３１は、リング状の環状冶具でその側面には、周方向のスリット３２が複数個形成されている。また、１６は筒状本体１１の下面の皮膚に接する面に形成された鍔である。この鍔１６は筒状本体１１と同心円でもいいし、上面までの高さが高い側に偏心するように形成しても良い。さらに鍔１６は、円でなくても楕円形でも良い。【００１０】図３は、主として肘用に使用するための温灸器を示しており、鍔１６付きの複数個の温灸器１を相互にリンク棒２３で連結されており、両端には、パッド２５が結ばれている。このパッド２５は、図７で示すように腕に巻かれたバンド２６により腕に固定される。
図４において、４１は、穴明きの仕切り板１２の上に載せるためのもぐさ乗せであり、金網に粘土を吹き付けたように構成されている。これは、お腹用の温灸器であり、足、腕用の温灸器に比べて筒状本体１１は随分と大径になっている。４２はもぐさ室１３の蓋で、お碗型をしており複数の小穴４３が穿たれている。また、４４は温灸器１を収容するための台座であり、それぞれの台座４４はリンク棒２３で連結されている。【００１１】図５において、５２はお碗を伏せたような形のもぐさ保持体で、その中心部にはもぐさを入れる筒５３が形成されている。５４はこのもぐさ保持体５２を囲む二重蓋である。５１は、このもぐさ保持体５２を乗せる台座であり、一対の台座５１は取付け台５５上に相互に適当な間隔をおいては位置して使用される。【００１２】このように構成された、本考案温灸器は次のように使用される。
先ず、足のつぼを温灸治療するときには、図６に示すようにひも２２と重り２１のついた温灸器１を親指と人差し指の間に引っ掛けて温灸器１を足先指間のつぼに設定する。つぎに脛のつぼに設定するときには、脛の骨を越して重りを垂れ下げ温灸器１をつぼに設定する。さらに、膝の回りのつぼに設定するときには、予めスリット３２にひも２２を挿通しておいた環状冶具３２を膝の皿部分に置き、膝回りのつぼに温灸器１がそれぞれ当接するようにひも２２で調節しながら設定する。
そして、つぼに設定された温灸器１によって、足先、脛、膝の複数個所を同時に自分で温灸治療ができるのである。また、つぼに当接した温灸器１が皮膚に添って傾いていても、温灸器１の切り口が傾斜しているので燃えかすがこぼれ落ちる心配が無い。つぎに、腕のつぼに温灸器１を配置するときには、図７に示すように腕と手先にバンド２６を巻き、これに両端のパッド２５を挿し入れ固定する。温灸器１には鍔１６部分が形成してあるので、常に皮膚面に略垂直に設定される。【００１３】さらに、図８に示すように首すじ、肩、お腹に温灸を施す場合には、図４に示すもぐさ乗せ４１のもぐさに点火したあと蓋４２をし、お腹の上に乗せて温灸治療を行う。その際にもぐさ乗せ４１上にスライスしたにんにくをもぐさと共に乗せたにんにく灸とすることも出来る。また、網に粘土を吹き付けたにんにく乗せ４１は、もぐさの熱さ調節用に役立つ。
そしてさらに、図５に示すもぐさ入れ５３のもぐさに点火したあと二重蓋５４をし、同蓋５４の上に、首筋、肩などを乗せて温灸治療を行うのである。【００１４】以上のように、本考案によれば、多孔質であることを特徴としている素焼きの焼き物を用いて構成されているので、保水性・透過性などに富むために温灸器として最適である。接着剤などを使わずに温灸器をつぼに正しく配置できるので使用回数が増えてもかぶれなどの心配が無い。また、図１に示すように重り２１を連結するひも２２を筒状本体１１の外側にぐるぐる巻きにしたものでは、その部分を持つことにより火傷防止になる。【００１５】また、重り２１や鍔１６を取り付けて、傾斜した皮膚面にも垂直に配置できるので効率のよい温灸治療が出来る。さらに本考案によれば複数の温灸器を安定した状態で容易につぼに配置できるので、自分で温灸治療を行う場合には、特に便利である。またさらに傾斜した皮膚面に温灸器を設置する際にその上面切り口の突出部が常に低い側に位置するようにしたので、もぐさのこぼれ落ちを防止し、火傷の心配が無い。
【図面の簡単な説明】
【００１６】
【図１】本考案の温灸器の一実施例を示す一部断面斜視図である。
【図２】膝用冶具に取り付けた温灸器の斜視図である。
【図３】肘用温灸器の斜視図である。
【図４】お腹用温灸器の斜視図である。
【図５】首肩用温灸器の斜視図である。
【図６】足に配置した温灸器の斜視図である。
【図７】腕に配置した温灸器の斜視図である。
【図８】お腹および首筋に配置した温灸器の斜視図である。
【符号の説明】
【００１７】  １    温灸器
１１  筒状本体
１２  仕切り板
１３  もぐさ室
１４  空気室
１５  貫通穴
１６  鍔
２１  重り
２２  ひも
２３  リンク棒
２５  パッド
３１  環状冶具
３２  スリット
４１  もぐさ乗せ
４２  蓋
４３  小穴
４４  台座
５１  台座
５２  もぐさ保持体
５３  筒
５４  二重蓋
５５  取付け台
【図１】
0003139841.tif 000003
【図２】
0003139841.tif 000004
【図３】
0003139841.tif 000005
【図４】
0003139841.tif 000006
【図５】
0003139841.tif 000007
【図６】
0003139841.tif 000008
【図７】
0003139841.tif 000009
【図８】
0003139841.tif 000010